(57)【要約】      （修正有）【課題】包装物が少なくとも２つの密封線を有するフィルム密封包装装置を提供する。【解決手段】ベース１０と、包装物を搬送させるための少なくとも１つの搬送装置２０と、少なくとも１対のフィルム搬送ターンテーブル３０と、少なくとも１つのフィルム密封機構４０と、少なくとも１つの熱収縮装置５０とを備える。搬送装置２０はベース１０の前端及び後端を貫通させるように布設され、フィルム搬送ターンテーブル３０はベース１０の両側に別設され、内に向けて帯状の包装用フィルムが提供される。フィルム密封機構４０はフィルム搬送ターンテーブル３０の後端に設置され、フィルム搬送ターンテーブル３０から供給される帯状の包装用フィルムが密封されて一体に結合されて、且つ横向きに布設され、搬送装置２０の包装物が搬送されて前進されて包装用フィルムに接触させ、包装用フィルムにより包装物の密封箇所が卷回された後、フィルム密封機構４０により包装物を卷回させ、包装用フィルムの密封、固定、及び裁断操作が行われる。【選択図】図１
0003211855.tif 000002
【実用新案登録請求の範囲】
【請求項１】
ベースと、
前記ベースの前端及び後端を貫通させるように布設され、複数の包装物を搬送させるための少なくとも１つの搬送装置と、
前記ベースの両側に別設され、帯状の包装用フィルムが巻かれて納置され、外から内に向けて前記帯状の包装用フィルムが提供される少なくとも１対のフィルム搬送ターンテーブルと、
前記フィルム搬送ターンテーブルの後端に設置される少なくとも１つのフィルム密封機構であって、前記前記フィルム搬送ターンテーブルが供給させる前記帯状の包装用フィルムが密封されて一体に結合されて、且つ前記包装用フィルムが前記搬送装置の前進経路上に横向きに布設され、第一密封線が形成され、前記搬送装置の前記包装物が搬送されて前進されて１つに結合されると共に前記搬送装置の前進経路上に横向きに布設される前記帯状の包装用フィルムに接触させ、前記包装用フィルムが前記包装物の密封箇所を卷回させた後、前記フィルム密封機構により前記包装物を卷回させる前記包装用フィルムの密封、固定、及び裁断操作が行われ、且つ前記包装用フィルムが前記包装物の前記密封箇所を卷回させて包囲させるように固定され、前記包装用フィルムに第二密封線が形成されることと、
前記フィルム密封機構の後端に設置され、前記包装物を卷回させて包囲させる前記帯状の包装用フィルムの熱収縮による包装が行われ、前記包装用フィルムが前記包装物の密封箇所を熱収縮により包装させる少なくとも１つの熱収縮装置を備えることを特徴とするフィルム密封包装装置。
【請求項２】
前記搬送装置により搬送される包装物は蓋を含む蓋体容器で構成されることを特徴とする、請求項１に記載のフィルム密封包装装置。
【請求項３】
前記ベースはフィルム搬送ターンテーブルの後方の箇所に複数のガイドロッドが設置され、前記フィルム搬送ターンテーブル中の前記包装用フィルムが引き出されて各前記ガイドロッドの間に卷回され、且つ前記ガイドロッドの案内により外から内に向けて帯状の包装用フィルムが提供されることを特徴とする、請求項１に記載のフィルム密封包装装置。
【請求項４】
前記フィルム密封機構は、
前記ベースの上方に連結され、且つ底部には少なくとも１つのレールが横向きに設置される少なくとも１つの固定板と、
前記固定板の上面と底面との間に設置される少なくとも１つの密封駆動装置と、
上部が前記固定板の底部の前記レールにそれぞれ嵌設される少なくとも１対の封止ナイフであって、前記封止ナイフは前記密封駆動装置に連結され、前記密封駆動装置により駆動されて前記封止ナイフが前記レールの軌跡に沿うように制御され、同時に内に向けて近接させて閉じることにより前記フィルム搬送ターンテーブルが内に向けて搬送させる前記帯状の包装用フィルムが結合されて１つとなると共に、密封の操作を行い、または前記包装用フィルムの密封後に、前記密封駆動装置により前記封止ナイフが駆動されて前記レールの軌跡に沿って外に向けて元の位置に戻されることを備えることを特徴とする、請求項１に記載のフィルム密封包装装置。
【請求項５】
前記フィルム密封機構の密封駆動装置は、
前記固定板の上面に設置され、伸縮運動を行う作動ロッドを有する少なくとも１つの駆動空気圧シリンダーと、
少なくとも１つの接合板及び第一コネクティングロッドであって、前記接合板の両端は前記駆動空気圧シリンダーの前記作動ロッドの末端及び第一コネクティングロッドの一端にそれぞれ枢接され、前記接合板の中段位置は前記固定板の底面に枢接され、前記第一コネクティングロッドの他端は前記封止ナイフの上端に枢接され、前記駆動空気圧シリンダーの前記作動ロッドが伸縮され、且つ前記接合板及び第一コネクティングロッドが連動させることにより前記封止ナイフが連動されて前記レールの軌跡に沿って内に向け近接させるか、または外に向けて元の位置に戻されることと、
両端が前記接合板の一端及び他の前記封止ナイフの上端にそれぞれ連結される少なくとも１つの第二コネクティングロッドであって、前記接合板及び前記第一コネクティングロッドの動作により前記第二コネクティングロッドが連動されて伸縮され、前記封止ナイフが連動されて前記レールの軌跡に沿って内に向けて近接されるか、外に向け元の位置に戻されることを備えることを特徴とする、請求項４に記載のフィルム密封包装装置。
【請求項６】
前記フィルム密封機構が包装物に対して卷回させて包囲させるための包装用フィルムにより形成される第一密封線及び第二密封線の間は１８０度の位置で対応し合うことを特徴とする、請求項１に記載のフィルム密封包装装置。
【請求項７】
前記ベースはフィルム密封機構の後方の箇所に少なくとも１つの下押し固定装置が設置され、前記下押し固定装置は伸縮操作が可能な作動ロッドを有し、前記作動ロッドの末端には少なくとも１つの圧着部が結合され、前記フィルム密封機構が前記包装用フィルムを密封させて第二密封線が形成されると同時に、前記作動ロッドが下に向けて延出されると前記圧着部が連動されて下に向けて前記包装物の上面に圧着されることを特徴とする、請求項１に記載のフィルム密封包装装置。
【請求項８】
前記下押し固定装置係は空気圧シリンダーで構成されることを特徴とする、請求項７に記載のフィルム密封包装装置。
【請求項９】
前記熱収縮装置は、
前記フィルム密封機構の後方の搬送装置の両側の位置でベースにそれぞれ固設される少なくとも１対の熱風発生装置であって、前記熱風発生装置には熱風を発生される通気孔が設けられ、且つ前記２つの熱風発生装置の間には加熱管路が形成され、前記通気孔からは内に向けて前記加熱管路に対して熱風が発生し、前記搬送装置の前記包装物の前記包装用フィルムに対して加熱による熱収縮操作を行うことと、
前記熱風発生装置の上方に結合され、前記熱風発生装置の間の加熱管路を閉じるための少なくとも１つの上蓋を備えることを特徴とする、請求項１に記載のフィルム密封包装装置。
【請求項１０】
前記ベースには、前記搬送装置、前記フィルム密封機構、及び前記熱収縮装置の動作を制御させるための制御装置が設置されることを特徴とする、請求項１に記載のフィルム密封包装装置。
【請求項１１】
ベースと、
前記ベースの前端及び後端を貫通させるように布設され、複数の包装物を搬送させるための少なくとも１つの搬送装置と、
前記ベースの両側に別設され、帯状の包装用フィルムが巻かれて納置され、外から内に向けて前記帯状の包装用フィルムが提供される少なくとも１対のフィルム搬送ターンテーブルと、
前記ベースの少なくとも一側のフィルム搬送ターンテーブルの後方の位置に設けられ、前記包装用フィルムが外に向けて引き戻されて一定の距離変位する機能が提供される少なくとも１つのフィルム密封線変位装置と、
前記フィルム搬送ターンテーブルの後端に設置される少なくとも１つのフィルム密封機構であって、前記フィルム搬送ターンテーブルが供給される前記帯状の包装用フィルムが密封されて一体に結合されて、且つ前記包装用フィルムが前記搬送装置の前進経路上に横向きに布設され、第一密封線が形成され、前記フィルム密封線変位装置が外に向け引き戻されることにより前記包装用フィルムが引っ張られ、前記第一密封線の位置が外に向けて引き戻されて一定の距離移動され、その後に前記搬送装置の前記包装物が搬送されて前進されて１つに結合される前記帯状の包装用フィルムが包装物を卷回させて包装させる密封箇所が形成された後、前記フィルム密封機構により前記包装物を卷回させるフィルムの密封、固定、及び裁断操作が行われ、且つ前記フィルムが前記包装物の前記密封箇所を卷回させて包囲させるように固定され、前記包装用フィルムに第二密封線が形成され、前記第二密封線と前記第一密封線との間の包装用フィルムに引き裂き可能なブロックが形成されることと、
前記フィルム密封機構の後端に設置され、前記包装物の卷回させて包囲させる帯状の包装用フィルムに対する熱収縮による包装が行われ、前記包装用フィルムが前記包装物の前記密封箇所を熱収縮により包装させる少なくとも１つの熱収縮装置を備えることを特徴とするフィルム密封包装装置。
【請求項１２】
前記フィルム密封機構が前記包装物を卷回させて包囲させる前記包装用フィルムにより形成される第一密封線及び第二密封線の間は１８０度より小さい位置で対応し合うことを特徴とする、請求項１１に記載のフィルム密封包装装置。
【請求項１３】
前記フィルム密封線変位装置は、
少なくとも１つのモーター及び前端固定ローラーであって、前記モーターは前記包装用フィルムの前方の位置でベースに設置され、前記前端固定ローラーは前記モーターのシャフトに連結され、前記モーターにより駆動されて回転され、前記前端固定ローラーは前記包装用フィルムの前面の表面に接触させることと、
少なくとも１つのプッシュ用空気圧シリンダー及び後端固定ローラーであって、前記プッシュ用空気圧シリンダーは前記包装用フィルムの後方の位置でベースに設置され、前記プッシュ用空気圧シリンダーの作動ロッドは前記後端固定ローラーに連結され、前記プッシュ用空気圧シリンダーの作動ロッドにより前記後端固定ローラーが押動されて前に向けて前記前端固定ローラーに接触させて前記包装用フィルムの前後の表面に共に挟持され、前記モーターの回転により前記前端固定ローラーが駆動されて回転されることにより前記包装用フィルムが連動されて外に向けて一定の距離引き戻され、前記包装用フィルムの。@前記第一密封線が外に向けて引き戻されて一定の距離変位されることを備えることを特徴とする、請求項１１に記載のフィルム密封包装装置。
【請求項１４】
前記熱収縮装置は、
前記フィルム密封機構の後方の搬送装置の両側の位置でベースにそれぞれ固設される少なくとも１対の熱風発生装置であって、前記熱風発生装置には熱風を発生させる通気孔が設けられ、且つ前記２つの熱風発生装置の間には加熱管路が形成され、前記通気孔からは内に向けて前記加熱管路に対して熱風が発生し、前記搬送装置の前記包装物の前記包装用フィルムに対して加熱による熱収縮操作が行われることと、
前記熱風発生装置の上方に結合され、前記熱風発生装置の間の前記加熱管路を閉じるための少なくとも１つの上蓋を備えることを特徴とする、請求項１１に記載のフィルム密封包装装置。
【請求項１５】
前記ベースには、前記搬送装置、フィルム密封線変位装置、フィルム密封機構、及び熱収縮装置の動作を制御させるための制御装置が設置されることを特徴とする、請求項１１に記載のフィルム密封包装装置。
【考案の詳細な説明】
【技術分野】
【０００１】
本考案は、フィルム密封包装装置に関し、更に詳しくは、蓋により密封される包装物、包装用フィルムにより包装物を卷回されて密封される包装装置、及び包装用フィルムにより固定され、密着され、少なくとも２つの密封線が発生する包装装置に応用されるフィルム密封包装装置に関する。
【背景技術】
【０００２】
包装用フィルムは様々な包装物の包装に広く応用され、特に弁当、麺類、薬膳、サラダ等の様々な外観形状の蓋体により密封される即席食品の包装物に応用される。前述の食物が盛られる弁当箱または包装箱の包装物の形状や大きさは全て異なる。
【０００３】
しかしながら、従来のフィルムでは、すなわち、従来のフィルムが密封包装設備に装入されて熱収縮フィルムにより前記蓋及び蓋体の密封箇所の密封包装の操作を行う場合、熱収縮フィルムの全てまたは大部分を前記包装物の外部に被せ、熱収縮処理を行い、前記熱収縮フィルムの全てまたは大部分により前記包装物を被覆させて被覆及び密封を行う。ただし、このような従来のフィルムが密封包装設備に装入される場合、包装用フィルム材料が大量に消費され、前記包装コストが高騰し、包装材料が大量に廃棄されて環境問題も引き起こすほか、消費者や使用者が前記包装物を開く際に、全てまたは大部分が熱収縮フィルムで被覆されており、強固な被覆応力が形成されているため、消費者や使用者が前記包装熱収縮フィルムを剥ぎ取るのが困難になり、別途引き裂き線形成機構により前記包装用フィルムに引き裂き線をプリントしなければならない。これでは包装物の密封包装時間及びコストが増加するという問題及び欠点が存在し、これは蓋体による密封包装にとって解決が待たれる喫緊の課題であった。
【０００４】
なお、上述の蓋体を含む包装物において、従来の熱収縮フィルム装入機により熱収縮フィルムが装入されて包装密封を行う場合の他の問題及び欠点として、前記包装物の形状や大きさが異なるため、異なる外観形状や口径の大きさの包装物に対しては、熱収縮装入機の装入筒部材を交換したり、包装物を搬送させる搬送機構に包装物の形状や大きさに適合した複数の型板や金型を設置させ、各包装物を載置させると共に装入機を装入及び包装に用いられる熱収縮フィルムに位置を合わせなければならない。従来の特許文献では、例えば、特許文献１に記載されている「全自動の箱、コップ密封機の改良構造」は、前記搬送ベルト（１５)に複数の型板（１６)が設置されて皿（２２)等の包装物にフィルム（３０)が装入または圧入されて密封包装される。このような先行特許による典型的な従来の密封機構造は、機器の構造が複雑でコストが高く、包装物の密封包装には経済的に見合わない上、前記搬送ベルト（１５)の型板（１６)を形状や大きさの違う包装物に合わせて変更して製造し、前記搬送ベルト（１５)に再度装設させねばならないため、時間も費用もかかり、包装物の密封コストが大幅に増加するほか、前記皿（２２)の包装物の口径が大きすぎる場合、前記型板（１６)を前記搬送ベルト（１５)に装設させることが困難になり、産業上の利用価値がなかった。
【０００５】
このほか、出願者は認定された先行の特許文献２「収縮フィルムの装入矯正装置」実用新案において、搬送装置に包装物が納置されるターンテーブルが設置されるフィルム装入機の技術を掲示している。そこで、本考案者は上記の欠点が改善可能と考え、鋭意検討を重ねた結果、合理的設計で上記の課題を効果的に改善する本考案の提案に到った。
【先行技術文献】
【特許文献】
【０００６】
【特許文献１】台湾実用新案第３２４３７０号明細書
【特許文献２】台湾実用新案第４７１４４４号明細書
【考案の概要】
【考案が解決しようとする課題】
【０００７】
本考案は、このような従来の問題に鑑みてなされたものである。上記課題解決のため、本考案は、フィルム密封包装装置を提供することを主目的とする。すなわち、上述の先行特許または従来のフィルム装入機や密封機設備では、弁当、麺類、薬膳、サラダ等の蓋を含む包装物の装入密封操作では被覆密封に用いられるフィルム材料が大量に浪費され、フィルムが引き裂きにくく、包装物を搬送させる搬送ベルトには包装物の形状や大きさに適合した型板や金型を設置させねばならず、包装コストが高騰し、構造が複雑で操作しにくくなる等の長年存在した産業利用上の問題及び欠点を解決させる。
【課題を解決するための手段】
【０００８】
上述した課題を解決し、上記目的を達成するため、本考案に係るフィルム密封包装装置の特徴は、
ベースと、
前記ベースの前端及び後端を貫通させるように布設され、複数の包装物を搬送させるための少なくとも１つの搬送装置と、
前記ベースの両側に別設され、帯状の包装用フィルムが巻かれて納置され、外から内に向けて前記帯状の包装用フィルムが提供される少なくとも１対のフィルム搬送ターンテーブルと、
前記フィルム搬送ターンテーブルの後端に設置される少なくとも１つのフィルム密封機構であって、前記前記フィルム搬送ターンテーブルが供給させる前記帯状の包装用フィルムが密封されて一体に結合されて、且つ前記包装用フィルムが前記搬送装置の前進経路上に横向きに布設され、第一密封線が形成され、前記搬送装置の前記包装物が搬送されて前進されて１つに結合されると共に前記搬送装置の前進経路上に横向きに布設される前記帯状の包装用フィルムに接触させ、前記包装用フィルムが前記包装物の密封箇所を卷回させた後、前記フィルム密封機構により前記包装物を卷回させる前記包装用フィルムの密封、固定、及び裁断操作が行われ、且つ前記包装用フィルムが前記包装物の前記密封箇所を卷回させて包囲させるように固定され、前記包装用フィルムに第二密封線が形成されることと、
前記フィルム密封機構の後端に設置され、前記包装物を卷回させて包囲させる前記帯状の包装用フィルムの熱収縮による包装が行われ、前記包装用フィルムが前記包装物の密封箇所を熱収縮により包装させる少なくとも１つの熱収縮装置を備える。
【０００９】
好ましくは、前記搬送装置により搬送される包装物は蓋を含む蓋体容器で構成される。
【００１０】
好ましくは、前記ベースはフィルム搬送ターンテーブルの後方の箇所に複数のガイドロッドが設置され、前記フィルム搬送ターンテーブル中の前記包装用フィルムが引き出されて各前記ガイドロッドの間に卷回され、且つ前記ガイドロッドの案内により外から内に向けて帯状の包装用フィルムが提供される。
【００１１】
好ましくは、前記フィルム密封機構は、
前記ベースの上方に連結され、且つ底部には少なくとも１つのレールが横向きに設置される少なくとも１つの固定板と、
前記固定板の上面と底面との間に設置される少なくとも１つの密封駆動装置と、
上部が前記固定板の底部の前記レールにそれぞれ嵌設される少なくとも１対の封止ナイフであって、前記封止ナイフは前記密封駆動装置に連結され、前記密封駆動装置により駆動されて前記封止ナイフが前記レールの軌跡に沿うように制御され、同時に内に向けて近接させて閉じることにより前記フィルム搬送ターンテーブルが内に向けて搬送させる前記帯状の包装用フィルムが結合されて１つとなると共に、密封の操作を行い、または前記包装用フィルムの密封後に、前記密封駆動装置により前記封止ナイフが駆動されて前記レールの軌跡に沿って外に向けて元の位置に戻されることを備える。
【００１２】
好ましくは、前記フィルム密封機構の密封駆動装置は、
前記固定板の上面に設置され、伸縮運動を行う作動ロッドを有する少なくとも１つの駆動空気圧シリンダーと、
少なくとも１つの接合板及び第一コネクティングロッドであって、前記接合板の両端は前記駆動空気圧シリンダーの前記作動ロッドの末端及び第一コネクティングロッドの一端にそれぞれ枢接され、前記接合板の中段位置は前記固定板の底面に枢接され、前記第一コネクティングロッドの他端は前記封止ナイフの上端に枢接され、前記駆動空気圧シリンダーの前記作動ロッドが伸縮され、且つ前記接合板及び第一コネクティングロッドが連動させることにより前記封止ナイフが連動されて前記レールの軌跡に沿って内に向け近接させるか、または外に向けて元の位置に戻されることと、
両端が前記接合板の一端及び他の前記封止ナイフの上端にそれぞれ連結される少なくとも１つの第二コネクティングロッドであって、前記接合板及び前記第一コネクティングロッドの動作により前記第二コネクティングロッドが連動されて伸縮され、前記封止ナイフが連動されて前記レールの軌跡に沿って内に向けて近接されるか、外に向け元の位置に戻されることを備える。
【００１３】
好ましくは、前記フィルム密封機構が包装物に対して卷回させて包囲させるための包装用フィルムにより形成される第一密封線及び第二密封線の間は１８０度の位置で対応し合う。
【００１４】
好ましくは、前記ベースはフィルム密封機構の後方の箇所に少なくとも１つの下押し固定装置が設置され、前記下押し固定装置は伸縮操作が可能な作動ロッドを有し、前記作動ロッドの末端には少なくとも１つの圧着部が結合され、前記フィルム密封機構が前記包装用フィルムを密封させて第二密封線が形成されると同時に、前記作動ロッドが下に向けて延出されると前記圧着部が連動されて下に向けて前記包装物の上面に圧着される。
【００１５】
好ましくは、前記下押し固定装置係は空気圧シリンダーで構成される。
【００１６】
さらに、本考案に係るフィルム密封包装装置は、
ベースと、
前記ベースの前端及び後端を貫通させるように布設され、複数の包装物を搬送させるための少なくとも１つの搬送装置と、
前記ベースの両側に別設され、帯状の包装用フィルムが巻かれて納置され、外から内に向けて前記帯状の包装用フィルムが提供される少なくとも１対のフィルム搬送ターンテーブルと、
前記ベースの少なくとも一側のフィルム搬送ターンテーブルの後方の位置に設けられ、前記包装用フィルムが外に向けて引き戻されて一定の距離変位する機能が提供される少なくとも１つのフィルム密封線変位装置と、
前記フィルム搬送ターンテーブルの後端に設置される少なくとも１つのフィルム密封機構であって、前記フィルム搬送ターンテーブルが供給される前記帯状の包装用フィルムが密封されて一体に結合されて、且つ前記包装用フィルムが前記搬送装置の前進経路上に横向きに布設され、第一密封線が形成され、前記フィルム密封線変位装置が外に向け引き戻されることにより前記包装用フィルムが引っ張られ、前記第一密封線の位置が外に向けて引き戻されて一定の距離移動され、その後に前記搬送装置の前記包装物が搬送されて前進されて１つに結合される前記帯状の包装用フィルムが包装物を卷回させて包装させる密封箇所が形成された後、前記フィルム密封機構により前記包装物を卷回させるフィルムの密封、固定、及び裁断操作が行われ、且つ前記フィルムが前記包装物の前記密封箇所を卷回させて包囲させるように固定され、前記包装用フィルムに第二密封線が形成され、前記第二密封線と前記第一密封線との間の包装用フィルムに引き裂き可能なブロックが形成されることと、
前記フィルム密封機構の後端に設置され、前記包装物の卷回させて包囲させる帯状の包装用フィルムに対する熱収縮による包装が行われ、前記包装用フィルムが前記包装物の前記密封箇所を熱収縮により包装させる少なくとも１つの熱収縮装置を備える。
【００１７】
好ましくは、前記フィルム密封機構が前記包装物を卷回させて包囲させる前記包装用フィルムにより形成される第一密封線及び第二密封線の間は１８０度より小さい位置で対応し合う。
【００１８】
好ましくは、前記フィルム密封線変位装置は、
少なくとも１つのモーター及び前端固定ローラーであって、前記モーターは前記包装用フィルムの前方の位置でベースに設置され、前記前端固定ローラーは前記モーターのシャフトに連結され、前記モーターにより駆動されて回転され、前記前端固定ローラーは前記包装用フィルムの前面の表面に接触させることと、
少なくとも１つのプッシュ用空気圧シリンダー及び後端固定ローラーであって、前記プッシュ用空気圧シリンダーは前記包装用フィルムの後方の位置でベースに設置され、前記プッシュ用空気圧シリンダーの作動ロッドは前記後端固定ローラーに連結され、前記プッシュ用空気圧シリンダーの作動ロッドにより前記後端固定ローラーが押動されて前に向けて前記前端固定ローラーに接触させて前記包装用フィルムの前後の表面に共に挟持され、前記モーターの回転により前記前端固定ローラーが駆動されて回転されることにより前記包装用フィルムが連動されて外に向けて一定の距離引き戻され、前記包装用フィルムの前記第一密封線が外に向けて引き戻されて一定の距離変位されることを備える。
【００１９】
好ましくは、前記熱収縮装置は、
前記フィルム密封機構の後方の搬送装置の両側の位置でベースにそれぞれ固設される少なくとも１対の熱風発生装置であって、前記熱風発生装置には熱風が発生される通気孔が設けられ、且つ前記２つの熱風発生装置の間には加熱管路が形成され、前記通気孔からは内に向けて前記加熱管路に対して熱風が発生し、前記搬送装置の前記包装物の前記包装用フィルムに対して加熱による熱収縮操作が行われることと、
前記熱風発生装置の上方に結合され、前記熱風発生装置の間の前記加熱管路を閉じるための少なくとも１つの上蓋とを備える。
【００２０】
好ましくは、前記ベースには、前記搬送装置、フィルム密封線変位装置、フィルム密封機構、及び熱収縮装置の動作を制御させるための制御装置が設置される。
【考案の効果】
【００２１】
本考案のフィルム密封包装装置の効果は、前記帯状の包装用フィルムが前記フィルム密封機構により先に密封されて一体となると共に前記搬送装置が包装物を搬送させる経路上に横向きに布設され、搬送装置により包装物が前に押動される運動エネルギーにより、包装物が前記包装用フィルムに接触させ、包装用フィルムが前記包装物の密封箇所を被覆させて卷回させる。本考案は包装物の形状や大きさに制限されずに応用され、どのようなものでも密封包装が可能であり、従来或いは先行特許のように前記搬送装置に包装物の形状や大きさに適合する型板や金型を装設させる必要がなく、本考案の応用範囲が大幅に広がり、蓋体を含む包装物の包装密封コストが節約される。また、本考案は前記フィルム密封線変位装置により前記包装用フィルムの第一密封線が外に向けて一定の距離引き戻される機能が提供され、前記第一密封線及び第二密封線の最終位置が相当に接近させるか、或いは必要な位置に調整され、前記第一密封線と第二密封線との間の包装用フィルムに引き裂き可能なブロックが形成され、別途引き裂き線形成機構により前記包装用フィルムにプリントする必要がなく、使用者が包装物を開く際に、前記第一密封線及び第二密封線の軌跡に沿って下に向けて前記引き裂き可能なブロックを引き裂けば、包装物の密封箇所を卷回させて被覆させる包装用フィルムを迅速に取り外すことができる。使用者が包装用フィルムを力が要らずに簡単に引き裂ける方式をさらに提供するため、全体的な産業上の利用価値及び経済的利益がさらに向上する。
【図面の簡単な説明】
【００２２】
【図１】本考案の第１実施形態に係るフィルム密封包装装置を示す外観斜視図である。
【図２】図１の前面図である。
【図３】部分拡大の傾斜図であり、本考案のフィルム密封機構により前記フィルム搬送ターンテーブルの包装フィルムに対し密封を一体に行う概略図である。
【図４】図３と類似する部分拡大の傾斜図であり、本考案のフィルム密封機構により前記フィルム搬送ターンテーブルの包装フィルムに対し密封を一体に行う概略図である。
【図５】図２と類似する前面図であり、本考案の包装物が包装フィルムに当て、包装フィルムが包装物を取り囲む概略図である。
【図６】部分拡大の傾斜図であり、本考案のフィルム密封機構により前記取り囲まれた包装物の包装フィルムに対し密封を行い、第二密封線を形成する概略図である。
【図７】本考案の第２実施形態に係るフィルム密封包装装置を示す外観斜視図である。
【図８】部分拡大の傾斜図であり、図７に示すフィルム密封機構により前記フィルム搬送ターンテーブルの包装フィルムに対し密封を一体に行う概略図である。
【図９】部分拡大の傾斜図であり、図７に示すフィルム密封線変位装置により、包装フィルムが外に向けて引き戻されて一定の距離変位され、第一密封線の位置を調整する概略図である。
【図１０】部分拡大の傾斜図であり、図７に示すフィルム密封機構により前記取り囲まれた包装物の包装フィルムに対し密封を行い、第二密封線を形成する概略図である。
【図１１】図７に示す一実施形態の包装物が包装フィルムにより完全に密封される概略図である。
【図１２】図１１に示す包装物にある包装フィルムにおける引き裂き可能なブロックから包装フィルムを除去する概略図である。
【考案を実施するための形態】
【００２３】
以下、図面を参照して本考案に係るフィルム密封包装装置の実施形態について説明する。尚、以下に説明する実施の形態は、実用新案登録請求の範囲に記載された本考案の内容を限定するものではない。また、以下に説明される構成の全てが、本考案の必須要件であるとは限らない。
【００２４】
（第１実施形態）
本考案に係る第１実施形態によるフィルム密封包装装置１００において、前記フィルム密封包装装置１００はベース１０を備え、前記ベース１０の上方は複数のメインフレーム１１及び複数の補助用フレーム１２で構成され、前記ベース１０の１対のメインフレーム１１には制御装置１３が設置される（図１乃至図４参照）。
【００２５】
少なくとも１つの搬送装置２０はベース１０の前端及び後端を貫通させるように布設され、複数の包装物２００が搬送される（図４参照）。前記包装物２００の形状や大きさは制限されず、本考案の第１実施形態においては、蓋を含む円形の弁当箱を例示する。
【００２６】
少なくとも１対のフィルム搬送ターンテーブル３０が前記ベース１０の両側に別設され、前記フィルム搬送ターンテーブル３０内には帯状の包装用フィルム３００が巻かれて納置される。前記ベース１０はフィルム搬送ターンテーブル３０の後方の箇所に複数のガイドロッド３１が設置され、前記フィルム搬送ターンテーブル３０中の包装用フィルム３００が引き出されて各ガイドロッド３１の間に卷回され、且つ前記ガイドロッド３１の案内により外から内に向けて帯状の包装用フィルム３００が提供される。
【００２７】
少なくとも１つのフィルム密封機構４０が前記フィルム搬送ターンテーブル３０の後端に設置される。前記フィルム密封機構４０の形式に制限はなく、本考案の第１実施形態では、少なくとも１つの固定板４１と、少なくとも１つの密封駆動装置４２と、少なくとも１対の封止ナイフ４３及び４４とを備える例を示す。前記固定板４１はベース１０の上方の補助用フレーム１２に連結され、且つ前記固定板４１の底部には少なくとも１つのレール４１１が横向きに設置される（図２参照）。
【００２８】
前記密封駆動装置４２は前記固定板４１の上面と底面との間に設置される。前記密封駆動装置４２の形式に制限はなく、本考案においては、少なくとも１つの駆動空気圧シリンダー４２１と、少なくとも１つの接合板４２２と、第一コネクティングロッド４２３と、少なくとも１つの第二コネクティングロッド４２４とで構成されるものを例示する。前記駆動空気圧シリンダー４２１は前記固定板４１の上面に設置され、前記駆動空気圧シリンダー４２１は伸縮運動を行う作動ロッド４２１Ａを有する。
【００２９】
前記接合板４２２の両端は前記駆動空気圧シリンダー４２１の作動ロッド４２１Ａの末端及び第一コネクティングロッド４２３の一端にそれぞれ枢接され、前記接合板４２２の中段位置は前記固定板４１の底面に枢接され、前記第一コネクティングロッド４２３の他端は封止ナイフ４３の上端に枢接され、前記第二コネクティングロッド４２４の両端は前記接合板４２２の一端及び他の封止ナイフ４４の上端にそれぞれ連結される。
【００３０】
前記封止ナイフ４３及び４４は本考案において電熱式封止ナイフを例にし、電熱加熱による前記包装用フィルム３００の密封、固定、及び裁断機能を有する。また、前記封止ナイフ４３及び４４の上部は前記固定板４１の底部のレール４１１にそれぞれ嵌設され、前記駆動空気圧シリンダーの作動ロッドが伸縮することで、前記接合板４２２及び第一コネクティングロッド４２３が連動させることにより前記封止ナイフ４３が連動されて前記レール４１１の軌跡に沿って内に向け近接させるか、または外に向けて元の位置に戻る動作が行われる。前記接合板４２２及び第一コネクティングロッド４２３の動作により前記第二コネクティングロッド４２４が連動されて伸縮することにより、前記封止ナイフ４４が連動されて前記レール４１の軌跡に沿って内に向け近接させるか、または外に向けて元の位置に戻る動作が行われる。
【００３１】
図５及び図６に示されるように、上述のフィルム密封機構４０の２つの封止ナイフ４３及び４４が内に向けて閉じ合わせられることにより、前記２つのフィルム搬送ターンテーブル３０が供給させる帯状の包装用フィルム３００が先に密封されて一体に結合され（図３参照）、且つ前記封止ナイフ４３及び４４が外に向けて元の位置に戻ることにより、前記包装用フィルム３００が前記搬送装置２０の前進の搬送経路上に横向きに布設され、第一密封線３１０が形成される（図４参照）。また、前記搬送装置２０の包装物２００が搬送されて前進されて一体に結合されると共に搬送装置２０の搬送経路上に横向きに布設される前記帯状の包装用フィルム３００に接触させ、前記包装用フィルム３００が包装物２００の密封箇所２１０に卷回された後（図５参照）、前記フィルム密封機構４０の２つの封止ナイフ４３及び４４が内に向けて再度閉じ合わせられ、前記包装物２００の包装用フィルム３００の密封、固定、及び裁断操作が行われる。前記包装用フィルム３００が前記包装物２００の密封箇所２１０を卷回させて包囲させるように固定され、前記包装用フィルム３００に第二密封線３２０が形成される（図６参照）。前記２つの封止ナイフ４３及び４４が再度外に向けて元の位置に戻されると、裁断後に前記搬送装置２０の前進経路上に横向きに布設される包装用フィルム３００中にも同時に他の道第一密封線３１０が形成され、次の包装物２００に同じ方式で接触させて被覆させて密封させるために使用される。上述の前記包装物２００を卷回させて包囲させるように固定される包装用フィルム３００の第一密封線３１０及び第二密封線３２０は、本考案の第１実施形態においては図６に示すように、１８０度の位置で対応し合う。
【００３２】
なお、上述のベース１０はフィルム密封機構４０の後方の箇所の補助用フレーム１２に少なくとも１つの下押し固定装置１４が設置される。前記下押し固定装置１４は本考案においては空気圧シリンダーを例にし、且つ前記下押し固定装置１４は伸縮操作を行う作動ロッド１４１を有する。前記作動ロッド１４１の末端には少なくとも１つの圧着部１４２が結合され、前記フィルム密封機構４０が包装物２００を卷回させる前記包装用フィルム３００を密封させて第二密封線３２０を形成させると同時に、前記作動ロッド１４１から下に向けて延出されて前記圧着部１４２を連動させて下に向けて前記包装物２００の上面に圧着させ、前記包装用フィルム３００が精確に固定されて前記包装物２００の密封箇所２１０が密封される。
【００３３】
少なくとも１つの熱収縮装置５０が前記フィルム密封機構４０の後端に設置され、前記包装物２００を卷回させて包囲させる帯状の包装用フィルム３００に対する熱収縮による包装が行われ、前記包装用フィルム３００が前記包装物２００の密封箇所２１０を熱収縮により包装させる。前記熱収縮装置５０の形式は制限されず、本考案においては少なくとも１対の熱風発生装置５１及び上蓋５２（図３参照）で構成される例について説明する。前記２つの熱風発生装置５１は前記フィルム密封機構４０の後方の搬送装置２０の両側の位置でベース１０にそれぞれ固設され、前記熱風発生装置５１には熱風を発生させる通気孔５１１が設けられ、且つ前記２つの熱風発生装置５１の間には加熱管路５１２が形成される（図４及び図６参照）。前記２つの熱風発生装置５１の通気孔５１１からはそれぞれ内に向けて前記加熱管路５１２に対して熱風が発生し、前記搬送装置２０の前記フィルム密封機構４０により密封されることで形成される第一密封線３１０、第二密封線３２０、及び前記加熱管路５２を通過させる包装物２００の包装用フィルム３００に対して加熱による熱収縮操作が行われ、前記包装物２００の包装用フィルム３００が熱収縮されて前記包装物２００の密封箇所を被覆させて包装させる。前記上蓋５２は２つの熱風発生装置５１の上方に結合され、前記熱風発生装置５１の間の加熱管路５１２が閉じられる。
【００３４】
また、上述の下押し固定装置１４、搬送装置２０、フィルム密封機構４０、及び熱収縮装置５０の各動作は全てベース１０に設置される制御装置１３により制御される。
【００３５】
（第２実施形態）
次に、図７〜１１を参照しながら、本考案のフィルム密封包装装置１００の第２実施形態をさらに詳しく説明する。本実施形態において、前記包装物２００の形状は多角形の食品容器を含む。少なくとも１つのフィルム密封線変位装置６０が前記ベース１０の少なくとも一側のフィルム搬送ターンテーブル３０の後方の箇所に設置され、フィルム密封機構４０により密封されて結合されると共に前記搬送装置２０の前進経路に横向きに布設される前記包装用フィルム３００が外に向け引き戻されて一定の距離変位する機能が提供される。前記フィルム密封線変位装置６０の形式は制限されず、本考案では少なくとも１つのモーター６１と、前端固定ローラー６２と、プッシュ用空気圧シリンダー６３と、後端固定ローラー６４とを備える例を示す。前記モーター６１は前記包装用フィルム３００の前方の位置でベース１０に設置され、前記前端固定ローラー６２は前記モーター６１のシャフト６１１に連結され、前記モーター６１により駆動されて回転される。前記前端固定ローラー６２が前記包装用フィルム３００の前面の表面に接触させ、前記プッシュ用空気圧シリンダー６３は前記包装用フィルム３００の後方の位置でベース１０に設置され、前記プッシュ用空気圧シリンダー６３の作動ロッド６３１には前記後端固定ローラー６４が連結され、前記プッシュ用空気圧シリンダー６３の作動ロッド６３１により前記後端固定ローラー６４が押動されて前に向けて前記前端固定ローラー６２に接触させて前記包装用フィルム３００の前後の両表面に共に挟持され、且つ前記モーター６１の回転により前記前端固定ローラー６２が駆動されて回転されることにより前記包装用フィルム３００が連動されて外に向けて一定の距離引き戻され（図９参照）、前記包装用フィルム３００の第一密封線３１０も外に向けて一定の距離引き戻される。前記包装用フィルム３００及び第一密封線３１０の外に向けて引き戻される動作が完了した後、前記プッシュ用空気圧シリンダー６３の作動ロッド６３１が退縮されて前記後端固定ローラー６４が連動されて元の位置に戻される。上述のフィルム密封線変位装置６０もベース１０に設置される前記制御装置１３により制御され、上述の包装用フィルム３００の第一密封線３１０を操作させて外に向け引き戻させて変位させ、一定の距離移動させる。
【００３６】
前記包装用フィルム３００の第一密封線３１０の位置は上述のフィルム密封線変位装置６０が外に向けて一定の距離引き戻された後、前記搬送装置２０の包装物２００が搬送されて前進されて一体に結合されると共に前記搬送装置２０の前進経路に横向きに布設される前記帯状の包装用フィルム３００により形成される包装物２００が包装されて卷回される密封箇所２１０に接触させた後、前記フィルム密封機構４０により前記包装物２００の包装用フィルム３００の密封、固定、及び裁断操作が行われ、且つ前記包装用フィルム３００が前記包装物２００の密封箇所２１０を卷回させて包囲させるように固定され、前記包装用フィルム３００に前記第二密封線３２０が形成され、前記第二密封線３２０と第一密封線３１０との間は１８０度より小さい位置で対応し合う。また、前記第二密封線３２０と第一密封線３１０との間の包装用フィルム３００には引き裂き可能なブロック３３０が形成され、前記第二密封線３２０と第一密封線３１０との間隔の大きさ及び前記引き裂き可能なブロック３３０の面積の大きさ（図１１参照）は、前記フィルム密封線変位装置６０が外に向けて前記包装用フィルム３００及び第一密封線３１０を引き戻させる距離によって決定される。
【００３７】
図１２は図１１に示す包装用フィルム３００が密封箇所２１０を卷回させて包囲させるように固定される包装物２００が、前記熱収縮装置５０により加熱されて熱収縮されて包装が完成した後、使用者が前記包装物２００の包装用フィルム３００を剥ぎ取る際に、前記第一密封線３１０と第二密封線３２０との間に形成される引き裂き可能なブロック３３０を使用者が下に向けて引き裂くことにより（図１２における矢印の方向で示す)、全ての包装用フィルム３００を前記包装物２００から迅速且つ簡単に完全に剥ぎ取ることができ、他の補助工具を使用して剥ぎ取ったり、前記包装用フィルム３００に別途引き裂き線をプリントする必要がなくなる。
【００３８】
従って、本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、実用新案登録請求の範囲に含まれるものと解釈すべきである。
【符号の説明】
【００３９】
１００  フィルム密封包装装置
１０  ベース
１１  メインフレーム
１２  補助用フレーム
１３  制御装置
１４  下押し固定装置
１４１  作動ロッド
１４２  圧着部
２０  搬送装置
３０  フィルム搬送ターンテーブル
３１  ガイドロッド
４０  フィルム密封機構
４１  固定板
４１１  レール
４２  密封駆動装置
４２１  駆動空気圧シリンダー
４２１Ａ  作動ロッド
４２２  接合板
４２３  作動ロッド
４２４  接合板
４３  第一コネクティングロッド
４４  第二コネクティングロッド
５０  封止ナイフ
５１  熱収縮装置
５１１  熱風発生装置
５１２  加熱管路
６０  フィルム密封線変位装置
６１  モーター
６１１  シャフト
６２  前端固定ローラー
６３  プッシュ用空気圧シリンダー
６３１  作動ロッド
６４  後端固定ローラー
２００  包装物
２１０  密封箇所
３００  包装用フィルム
３１０  第一密封線
３２０  第二密封線
３３０  引き裂き可能なブロック
５２  上蓋
【図１】
0003211855.tif 000003
【図２】
0003211855.tif 000004
【図３】
0003211855.tif 000005
【図４】
0003211855.tif 000006
【図５】
0003211855.tif 000007
【図６】
0003211855.tif 000008
【図７】
0003211855.tif 000009
【図８】
0003211855.tif 000010
【図９】
0003211855.tif 000011
【図１０】
0003211855.tif 000012
【図１１】
0003211855.tif 000013
【図１２】
0003211855.tif 000014
【手続補正書】
【提出日】平成29年6月7日(2017.6.7)
【手続補正１】
【補正対象書類名】実用新案登録請求の範囲
【補正対象項目名】全文
【補正方法】変更
【補正の内容】
【実用新案登録請求の範囲】
【請求項１】
ベースと、
前記ベースの前端及び後端を貫通させるように布設され、複数の包装物を搬送させるための少なくとも１つの搬送装置と、
前記ベースの両側に別設され、帯状の包装用フィルムが巻かれて納置され、外から内に向けて前記帯状の包装用フィルムが提供される少なくとも１対のフィルム搬送ターンテーブルと、
前記フィルム搬送ターンテーブルの後端に設置される少なくとも１つのフィルム密封機構であって、前記フィルム搬送ターンテーブルが供給させる前記帯状の包装用フィルムが密封されて一体に結合されて、且つ前記包装用フィルムが前記搬送装置の前進経路上に横向きに布設され、第一密封線が形成され、前記搬送装置の前記包装物が搬送されて前進されて１つに結合されると共に前記搬送装置の前進経路上に横向きに布設される前記帯状の包装用フィルムに接触させ、前記包装用フィルムが前記包装物の密封箇所を卷回させた後、前記フィルム密封機構により前記包装物を卷回させる前記包装用フィルムの密封、固定、及び裁断操作が行われ、且つ前記包装用フィルムが前記包装物の前記密封箇所を卷回させて包囲させるように固定され、前記包装用フィルムに第二密封線が形成されることと、
前記フィルム密封機構の後端に設置され、前記包装物を卷回させて包囲させる前記帯状の包装用フィルムの熱収縮による包装が行われ、前記包装用フィルムが前記包装物の密封箇所を熱収縮により包装させる少なくとも１つの熱収縮装置を備えることを特徴とするフィルム密封包装装置。
【請求項２】
前記搬送装置により搬送される包装物は蓋を含む蓋体容器で構成されることを特徴とする、請求項１に記載のフィルム密封包装装置。
【請求項３】
前記ベースはフィルム搬送ターンテーブルの後方の箇所に複数のガイドロッドが設置され、前記フィルム搬送ターンテーブル中の前記包装用フィルムが引き出されて各前記ガイドロッドの間に卷回され、且つ前記ガイドロッドの案内により外から内に向けて帯状の包装用フィルムが提供されることを特徴とする、請求項１に記載のフィルム密封包装装置。
【請求項４】
前記フィルム密封機構は、
前記ベースの上方に連結され、且つ底部には少なくとも１つのレールが横向きに設置される少なくとも１つの固定板と、
前記固定板の上面と底面との間に設置される少なくとも１つの密封駆動装置と、
上部が前記固定板の底部の前記レールにそれぞれ嵌設される少なくとも１対の封止ナイフであって、前記封止ナイフは前記密封駆動装置に連結され、前記密封駆動装置により駆動されて前記封止ナイフが前記レールの軌跡に沿うように制御され、同時に内に向けて近接させて閉じることにより前記フィルム搬送ターンテーブルが内に向けて搬送させる前記帯状の包装用フィルムが結合されて１つとなると共に、密封の操作を行い、または前記包装用フィルムの密封後に、前記密封駆動装置により前記封止ナイフが駆動されて前記レールの軌跡に沿って外に向けて元の位置に戻されることを備えることを特徴とする、請求項１に記載のフィルム密封包装装置。
【請求項５】
前記フィルム密封機構の密封駆動装置は、
前記固定板の上面に設置され、伸縮運動を行う作動ロッドを有する少なくとも１つの駆動空気圧シリンダーと、
少なくとも１つの接合板及び第一コネクティングロッドであって、前記接合板の両端は前記駆動空気圧シリンダーの前記作動ロッドの末端及び第一コネクティングロッドの一端にそれぞれ枢接され、前記接合板の中段位置は前記固定板の底面に枢接され、前記第一コネクティングロッドの他端は前記封止ナイフの上端に枢接され、前記駆動空気圧シリンダーの前記作動ロッドが伸縮され、且つ前記接合板及び第一コネクティングロッドが連動させることにより前記封止ナイフが連動されて前記レールの軌跡に沿って内に向け近接させるか、または外に向けて元の位置に戻されることと、
両端が前記接合板の一端及び他の前記封止ナイフの上端にそれぞれ連結される少なくとも１つの第二コネクティングロッドであって、前記接合板及び前記第一コネクティングロッドの動作により前記第二コネクティングロッドが連動されて伸縮され、前記封止ナイフが連動されて前記レールの軌跡に沿って内に向けて近接されるか、外に向け元の位置に戻されることを備えることを特徴とする、請求項４に記載のフィルム密封包装装置。
【請求項６】
前記フィルム密封機構が包装物に対して卷回させて包囲させるための包装用フィルムにより形成される第一密封線及び第二密封線の間は１８０度の位置で対応し合うことを特徴とする、請求項１に記載のフィルム密封包装装置。
【請求項７】
前記ベースはフィルム密封機構の後方の箇所に少なくとも１つの下押し固定装置が設置され、前記下押し固定装置は伸縮操作が可能な作動ロッドを有し、前記作動ロッドの末端には少なくとも１つの圧着部が結合され、前記フィルム密封機構が前記包装用フィルムを密封させて第二密封線が形成されると同時に、前記作動ロッドが下に向けて延出されると前記圧着部が連動されて下に向けて前記包装物の上面に圧着されることを特徴とする、請求項１に記載のフィルム密封包装装置。
【請求項８】
前記下押し固定装置は空気圧シリンダーで構成されることを特徴とする、請求項７に記載のフィルム密封包装装置。
【請求項９】
前記熱収縮装置は、
前記フィルム密封機構の後方の搬送装置の両側の位置でベースにそれぞれ固設される少なくとも１対の熱風発生装置であって、前記熱風発生装置には熱風を発生される通気孔が設けられ、且つ前記２つの熱風発生装置の間には加熱管路が形成され、前記通気孔からは内に向けて前記加熱管路に対して熱風が発生し、前記搬送装置の前記包装物の前記包装用フィルムに対して加熱による熱収縮操作を行うことと、
前記熱風発生装置の上方に結合され、前記熱風発生装置の間の加熱管路を閉じるための少なくとも１つの上蓋を備えることを特徴とする、請求項１に記載のフィルム密封包装装置。
【請求項１０】
前記ベースには、前記搬送装置、前記フィルム密封機構、及び前記熱収縮装置の動作を制御させるための制御装置が設置されることを特徴とする、請求項１に記載のフィルム密封包装装置。
【請求項１１】
ベースと、
前記ベースの前端及び後端を貫通させるように布設され、複数の包装物を搬送させるための少なくとも１つの搬送装置と、
前記ベースの両側に別設され、帯状の包装用フィルムが巻かれて納置され、外から内に向けて前記帯状の包装用フィルムが提供される少なくとも１対のフィルム搬送ターンテーブルと、
前記ベースの少なくとも一側のフィルム搬送ターンテーブルの後方の位置に設けられ、前記包装用フィルムが外に向けて引き戻されて一定の距離変位する機能が提供される少なくとも１つのフィルム密封線変位装置と、
前記フィルム搬送ターンテーブルの後端に設置される少なくとも１つのフィルム密封機構であって、前記フィルム搬送ターンテーブルが供給される前記帯状の包装用フィルムが密封されて一体に結合されて、且つ前記包装用フィルムが前記搬送装置の前進経路上に横向きに布設され、第一密封線が形成され、前記フィルム密封線変位装置が外に向け引き戻されることにより前記包装用フィルムが引っ張られ、前記第一密封線の位置が外に向けて引き戻されて一定の距離移動され、その後に前記搬送装置の前記包装物が搬送されて前進されて１つに結合される前記帯状の包装用フィルムが包装物を卷回させて包装させる密封箇所が形成された後、前記フィルム密封機構により前記包装物を卷回させるフィルムの密封、固定、及び裁断操作が行われ、且つ前記フィルムが前記包装物の前記密封箇所を卷回させて包囲させるように固定され、前記包装用フィルムに第二密封線が形成され、前記第二密封線と前記第一密封線との間の包装用フィルムに引き裂き可能なブロックが形成されることと、
前記フィルム密封機構の後端に設置され、前記包装物の卷回させて包囲させる帯状の包装用フィルムに対する熱収縮による包装が行われ、前記包装用フィルムが前記包装物の前記密封箇所を熱収縮により包装させる少なくとも１つの熱収縮装置を備えることを特徴とするフィルム密封包装装置。
【請求項１２】
前記フィルム密封機構が前記包装物を卷回させて包囲させる前記包装用フィルムにより形成される第一密封線及び第二密封線の間は１８０度より小さい位置で対応し合うことを特徴とする、請求項１１に記載のフィルム密封包装装置。
【請求項１３】
前記フィルム密封線変位装置は、
少なくとも１つのモーター及び前端固定ローラーであって、前記モーターは前記包装用フィルムの前方の位置でベースに設置され、前記前端固定ローラーは前記モーターのシャフトに連結され、前記モーターにより駆動されて回転され、前記前端固定ローラーは前記包装用フィルムの前面の表面に接触させることと、
少なくとも１つのプッシュ用空気圧シリンダー及び後端固定ローラーであって、前記プッシュ用空気圧シリンダーは前記包装用フィルムの後方の位置でベースに設置され、前記プッシュ用空気圧シリンダーの作動ロッドは前記後端固定ローラーに連結され、前記プッシュ用空気圧シリンダーの作動ロッドにより前記後端固定ローラーが押動されて前に向けて前記前端固定ローラーに接触させて前記包装用フィルムの前後の表面に共に挟持され、前記モーターの回転により前記前端固定ローラーが駆動されて回転されることにより前記包装用フィルムが連動されて外に向けて一定の距離引き戻され、前記包装用フィルムの前記第一密封線が外に向けて引き戻されて一定の距離変位されることを備えることを特徴とする、請求項１１に記載のフィルム密封包装装置。
【請求項１４】
前記熱収縮装置は、
前記フィルム密封機構の後方の搬送装置の両側の位置でベースにそれぞれ固設される少なくとも１対の熱風発生装置であって、前記熱風発生装置には熱風を発生させる通気孔が設けられ、且つ前記２つの熱風発生装置の間には加熱管路が形成され、前記通気孔からは内に向けて前記加熱管路に対して熱風が発生し、前記搬送装置の前記包装物の前記包装用フィルムに対して加熱による熱収縮操作が行われることと、
前記熱風発生装置の上方に結合され、前記熱風発生装置の間の前記加熱管路を閉じるための少なくとも１つの上蓋を備えることを特徴とする、請求項１１に記載のフィルム密封包装装置。
【請求項１５】
前記ベースには、前記搬送装置、フィルム密封線変位装置、フィルム密封機構、及び熱収縮装置の動作を制御させるための制御装置が設置されることを特徴とする、請求項１１に記載のフィルム密封包装装置。